(57)【要約】      （修正有）【課題】使い勝手を向上させた滑りにくいグリーンフォークを提供する。【解決手段】フォーク本体１０は、金属製又は硬質の合成樹脂製の板状に形成されていて、先端側（下端側）には、フォーク状に分岐された爪部１１を有し、基端側（上端側）には、把手部１２を有し、把手部の上端中央には、ボールチェーン３０を付けるための凸部１３を有している。把手部１２における表面側及び裏面側を、塩化ビニル，ゴム等の軟質の合成樹脂で形成されたカバー部材２０Ｂによって覆う。プレーヤーは、フォーク本体１０の把手部１２に直接、触れることなく、カバー部材２０Ｂを指で挟持して使用する。【選択図】図１
0003145748.tif 000002
【実用新案登録請求の範囲】
【請求項１】
ゴルフボールの落下によってゴルフ場のグリーン上に形成された孔を修復するためのグリーンフォークにおいて、
先端側に、前記孔を均すためにフォーク状に分岐された爪部を有し、基端側に把手部を有する金属製又は硬質の合成樹脂製のフォーク本体と、
前記フォーク本体のうちの少なくとも前記把手部における表面側及び裏面側を覆う軟質の合成樹脂製のカバー部材と、を備える、
ことを特徴とするグリーンフォーク。
【請求項２】
前記カバー部材は、少なくとも前記把手部における表面側を覆う表面部と、裏面側を覆う裏面部と、前記表面部及び前記裏面部の一部を連結する連結部と、前記表面部及び前記裏面部の間に形成されて前記把手部が収納されるスリット状の収納部と、を有する、
ことを特徴とする請求項１に記載のグリーンフォーク。
【請求項３】
前記カバー部材が、前記フォーク本体に対して着脱可能である、
ことを特徴とする請求項１又は２に記載のグリーンフォーク。
【請求項４】
前記カバー部材は、前記表面部及び前記裏面部が前記フォーク本体全体の表面側及び裏面側を覆い、
前記フォーク本体は、前記収納部に対して収納及び引き出し可能に構成されている、
ことを特徴とする請求項１ないし３のいずれか１項に記載のグリーンフォーク。
【請求項５】
前記フォーク本体の前記爪部が挿脱自在に挿入される鞘部材を備える、
ことを特徴とする請求項１ないし３のいずれか１項に記載のグリーンフォーク。
【請求項６】
前記カバー部材が、キャラクタ形状に形成されている、
ことを特徴とする請求項１ないし５に記載のグリーンフォーク。
【請求項７】
前記鞘部材が、キャラクタ形状に形成されている、
ことを特徴とする請求項５に記載のグリーンフォーク。
【考案の詳細な説明】
【技術分野】
【０００１】
本考案は、ゴルフボールの落下によってゴルフ場のグリーン上に形成された孔を修復するためのグリーンフォークに関する。
【背景技術】
【０００２】
グリーンフォークは、ゴルフボールの落下によってグリーン上に形成された孔を修復するために使用される。このグリーンフォークは、例えば、特許文献１に示すように、一般に、フォーク状の爪部とプレーヤーが手で握る把手部とが一体に形成されている。また、グリーンフォークは、材質的には一般に金属又は硬質の合成樹脂（プラスチックやゴム）によって形成されている。
グリーンフォークの使用に際し、プレーヤーは、把手部を指で挟み、爪部をグリーンに突き刺し、芝生の根を切らないようにして、ゴルフボールの落下によってできた孔を埋める。
【特許文献１】特開２００７−１４７２８号公報
【考案の開示】
【考案が解決しようとする課題】
【０００３】
しかしながら、上述の、爪部と把手部とが金属又は硬質の合成樹脂によって一体に形成されているグリーンフォークは、爪部についてはグリーンを均すのに好適ではあるものの、把手部については、指で挟んだ場合に、滑りやすく、使い勝手が悪いという問題があった。
そこで、本考案は、指で挟んだ場合に、滑りにくく、使い勝手のよいグリーンフォークを提供することを目的とするものである。
【課題を解決するための手段】
【０００４】
請求項１に係る考案は、ゴルフボールの落下によってゴルフ場のグリーン上に形成された孔を修復するためのグリーンフォークに関する。この考案に係るグリーンフォークは、先端側に、前記孔を均すためにフォーク状に分岐された爪部を有し、基端側に把手部を有する金属製又は硬質の合成樹脂製のフォーク本体と、前記フォーク本体のうちの少なくとも前記把手部における表面側及び裏面側を覆う軟質の合成樹脂製のカバー部材と、を備える、ことを特徴としている。
【０００５】
請求項２に係る考案は、請求項１に係るグリーンフォークにおいて、前記カバー部材は、少なくとも前記把手部における表面側を覆う表面部と、裏面側を覆う裏面部と、前記表面部及び前記裏面部の一部を連結する連結部と、前記表面部及び前記裏面部の間に形成されて前記把手部が収納されるスリット状の収納部と、を有する、ことを特徴としている。
【０００６】
請求項３に係る考案は、請求項１又は２に係るグリーンフォークにおいて、前記カバー部材が、前記フォーク本体に対して着脱可能である、ことを特徴としている。
【０００７】
請求項４に係る考案は、請求項１ないし３のいずれか１項に係るグリーンフォークにおいて、前記カバー部材は、前記表面部及び前記裏面部が前記フォーク本体全体の表面側及び裏面側を覆い、前記フォーク本体は、前記収納部に対して収納及び引き出し可能に構成されている、ことを特徴としている。
【０００８】
請求項５に係る考案は、請求項１ないし３のいずれか１項に係るグリーンフォークにおいて、前記フォーク本体の前記爪部が挿脱自在に挿入される鞘部材を備える、ことを特徴としている。
【０００９】
請求項６に係る考案は、請求項１ないし５のいずれか１項に係るグリーンフォークにおいて、前記カバー部材が、キャラクタ形状に形成されている、ことを特徴としている。
請求項７に係る考案は、請求項５に係るグリーンフォークにおいて、前記鞘部材が、キャラクタ形状に形成されている、ことを特徴としている。
【考案の効果】
【００１０】
請求項１の考案によると、軟質の合成樹脂製のカバー部材がフォーク本体の少なくとも把手部における表面側及び裏面側を覆っているので、プレーヤーは、グリーンフォークを使用する際に把手部に直接触れることなく、カバー部材を介して把手部を把持することになる。このため、把手部にカバー部材がない場合の問題点、すなわち、指で挟んだ場合に、滑りやすく使い勝手が悪いといった問題点を解決することができる。
【００１１】
請求項２の考案によると、カバー部材のうちの表面部と裏面部との間に形成されるスリット状の収納部に、フォーク本体の把手部を挟み込むことができる。
【００１２】
請求項３の考案によると、カバー部材が着脱可能であるので、カバー部材を簡単に他のカバー部材に交換することができる。また、これとは逆に、同一のカバー部材に対して、フォーク本体を簡単に交換することができる。
【００１３】
請求項４の考案によると、不使用時には、爪部がカバー部材によって覆われるので、爪部が露出していることの不具合、すなわち、爪部が衣服に引っかかったり、爪部によって傷ついたりすることを防止することができる。また、使用時には、爪部をカバー部材から引き出すことで露出させることができる。
【００１４】
請求項５の考案によると、不使用時には、爪部が鞘部材によって覆われるので、爪部が露出していることの不具合、すなわち、爪部が衣服に引っかかったり、爪部によって傷ついたりすることを防止することができる。また、使用時には、爪部を鞘部材から引き抜くことで露出させることができる。
【００１５】
請求項６の考案によると、カバー部材がキャラクタ形状に形成されているので、プレーヤーの嗜好性を満足させることができる。
【００１６】
請求項７の考案によると、鞘部材がキャラクタ形状に形成されているので、プレーヤーの嗜好性を満足させることができる。
【考案を実施するための最良の形態】
【００１７】
以下、本考案の最良の実施形態を図面に基づき詳述する。なお、各図面において、同じ符号を付した部材等は、同じ構成のものであり、これらについての重複説明は適宜省略するものとする。また、各図面においては、説明に不要な部材等は適宜、図示を省略している。
＜実施形態１＞
【００１８】
図１〜図４を参照して、本実施形態に係るグリーンフォークについて説明する。このうち、図１（ａ），（ｂ），（ｃ）は、それぞれカバー部材２０Ａ，２０Ｂ，２０Ｃの形状が異なるグリーンフォーク１Ａ，１Ｂ，１Ｃを示す斜視図である。図２（ａ），（ｂ），（ｃ）は、図１（ａ），（ｂ），（ｃ）に示すグリーンフォーク１Ａ，１Ｂ，１Ｃの分解斜視図である。図３（ａ），（ｂ），（ｃ）は、図２（ａ），（ｂ），（ｃ）に示すカバー部材２０Ａ，２０Ｂ，２０Ｃの分解斜視図である。図４（ａ），（ｂ）は、図１（ｂ）に示すグリーンフォーク１Ｂにサック（鞘部材）４０を設けた例を示す斜視図である。
【００１９】
なお、以下の説明では、グリーンフォーク１Ａ，１Ｂ，１Ｃ、及びカバー部材２０Ａ，２０Ｂ，２０Ｃを特に区別する必要がない場合には、それぞれ単に、グリーンフォーク１、カバー部材２０というものとする。また、各図面における下側を、グリーンフォーク１の下側（先端側）、各図面における上側を、グリーンフォーク１の上側（基端側）として説明する。この点については、後述する図５，図６についても同様である。
【００２０】
図１（ａ），（ｂ），（ｃ），図２（ａ），（ｂ），（ｃ）に示すように、グリーンフォーク１Ａ，１Ｂ，１Ｃは、フォーク本体１０と、カバー部材２０Ａ，２０Ｂ，２０Ｃとを備えており、フォーク本体１０には、ボールチェーン（索状体）３０が取り付けられている。
【００２１】
フォーク本体１０は、板状に形成されていて、先端側には、二股のフォーク状に分岐された爪部１１が形成され、基端側には、プレーヤー（不図示）がカバー部材２０を介して把持する把手部１２が形成されている。把手部１２の上端の中央には、上方に向けて凸部１３が突設されていて、この凸部１３には、ボールチェーン３０を通すための透孔１３ａが穿設されている。本実施形態においては、図２（ａ），（ｂ），（ｃ）に示すように、フォーク本体１０は、その表面側１０ａ及び裏面側１０ｂがいずれも平面状に形成されていて、プレーヤーが使用する際に表裏を区別する必要がない。なお、爪部１１については、その基端側（上端側）から先端側（下端側）にかけて、表面側１０ａが凹状になるように緩く湾曲するように形成してもよい。フォーク本体１０全体は、金属板又は硬質の合成樹脂（プラスチック）によって形成されている。
【００２２】
図３（ａ），（ｂ），（ｃ）に示すように、カバー部材２０は、フォーク本体１０（図２参照）の把手部１２の表面側１０ａを覆う表面部２１と、裏面側１０ｂを覆う裏面部２２と、これら表面部２１及び裏面部２２の一部を連結する連結部２３と、表面部２１及び裏面部２２の間に形成されるスリット状の収納部２４とを有している。
【００２３】
図１，図２，図３のそれぞれの（ａ）に示すカバー部材２０Ａは、表面側から見た形状（正面形状）がほぼ長方形状に形成されていて、図３（ａ）に示すように、表面部２１と裏面部２２とがその右端側において、連結部２３の一部を構成するヒンジ２３ａを介して連結されている。また、表面部２１の内面側（後面側）における左端側には、上端及び下端の近傍に後方に向けて係合凸部２３ｂが突設されていて、裏面部２２の内面側（前面側）には、これら係合凸部２３ｂに係脱可能な係合凹部２３ｃが形成されている。さらに、表面部２１の左端における上下方向の中間部には、係合部２３ｄが後方に向けて突設されており、裏面部２２における、この係合部２３ｄに対応する位置には、係合部２３ｄが係脱可能な係止部２３ｅが形成されている。上述の係合凹部２３ｃに係合凸部２３ｂを係合させることにより、また、係止部２３ｅに係合部２３ｄを係合させることにより、連結部２３の一部を構成する。表面部２１の内面側（後面側）及び裏面部２２の内面側（前面側）には、それぞれフォーク本体１０の把手部１２に倣った形状の凹部が形成されていて、表面部２１と裏面部２２とが合わさった際に、これら凹部によってスリット状の収納部２４が形成される。この収納部２４には、フォーク本体１０の把手部１２が収納される。収納部２４の上端中央部には、フォーク本体１０の凸部１３の下端側が係合される溝部２５が形成されている。図１（ａ）に示すように、カバー部材２０Ａは、フォーク本体１０の把手部１２の表面側及び裏面側を覆う。このとき、フォーク本体１０の凸部１３は、その上端側の透孔１３ａがカバー部材２０Ａの上方に位置するようになっている。
【００２４】
図１，図２，図３のそれぞれの（ｂ）に示すカバー部材２０Ｂは、表面側から見た形状がキャラクタ形状に形成されていて、図３（ｂ）に示すように、表面部２１と裏面部２２とが別体に形成されている。裏面部２２の内面側（前面側）には、４箇所に係合凹部２３ｃが形成されていて、表面部２１の裏面側（後面側）におけるこれら係合凹部２３ｃに対応する位置には、これら係合凹部２３ｃに係脱可能な係合凸部（不図示）が後方に向けて突設されている。これら係合凹部２３ｃに係合凸部を係合させることにより、連結部２３が構成され、表面部２１と裏面部２２とが合体される。表面部２１の内面側（後面側）及び裏面部２２の内面側（前面側）には、それぞれフォーク本体１０の把手部１２に倣った形状の凹部が形成されていて、表面部２１と裏面部２２とが合わさった際に、これら凹部によってスリット状の収納部２４が形成される。この収納部２４には、フォーク本体１０の把手部１２が収納される。収納部２４の上端中央部には、フォーク本体１０の凸部１３の下端側が係合される溝部２５が形成されている。図１（ｂ）に示すように、カバー部材２０Ｂは、フォーク本体１０の把手部１２の表面側及び裏面側を覆う。このとき、フォーク本体１０の凸部１３は、その上端側の透孔１３ａがカバー部材２０Ｂの上方に位置するようになっている。カバー部材２０Ｂは、図１（ｂ）に示すように、キャラクタ形状に形成されている。すなわち、例えば、動物の顔を模した顔部Ｆと、耳を模した耳部Ｅとを有している。
【００２５】
図１，図２，図３のそれぞれの（ｃ）に示すカバー部材２０Ｃは、表面側から見た形状がほぼ三角形状に形成されていて、図３（ｃ）に示すように、表面部２１と裏面部２２とこれらの一部を連結する連結部２３とが一体的に形成されていて、表面部２１と裏面部２２との間には、スリット状の収納部２４が形成されている。この収納部２４に、フォーク本体１０の把手部１２が収納されている。収納部２４の上端中央部には、フォーク本体１０の凸部１３の下端側が下方から貫通される溝部２５が形成されている。図１（ｃ）に示すように、カバー部材２０Ｃは、フォーク本体１０の把手部１２の表面側及び裏面側を覆う。このとき、フォーク本体１０の凸部１３は、その上端側の透孔１３ａがカバー部材２０Ｃの上方に位置するようになっている。
【００２６】
ボールチェーン３０は、図１（ａ），（ｂ），（ｃ）に示すように、カバー部材２０の上方に突出された状態の凸部１３の透孔１３ａに通される。ボールチェーン３０は、その一部に係脱可能な接続部（不図示）を有しており、この接続部を外した状態で、透孔１３ａに通し、その後、接続部を繋ぐことでループ状に構成されている。なお、ボールチェーンに代えて、紐やストラップ等の索状体を使用することもできる。
【００２７】
上述のカバー部材２０（２０Ａ，２０Ｂ，２０Ｃ）は、いずれも塩化ビニル、ゴム等の軟質の合成樹脂（プラスチック）によって形成されている。そして、これらカバー部材２０が、金属製又は硬質の合成樹脂製のフォーク本体１０の把手部１２を覆っている。このため、プレーヤーは、グリーンフォーク１（１Ａ，１Ｂ，１Ｃ）を使用する際には、把手部１２に直接、触れるのではなく、カバー部材２０に触れることになるので、使用時に指が滑るようなことがなく、また、適度に柔らかいので、良好な使い勝手を実現することができる。さらに、カバー部材２０の前面側から見た形状（正面形状）は、上述の、図１（ａ）の長方形状，図１（ｂ）のキャラクタ形状，図１（ｃ）の三角形状をはじめ、円形，楕円形，五角形，六角形，不定形等の任意の形状を選択することができる。また、カバー部材２０の構成については、図３（ａ）に示すヒンジ式、図３（ｂ）に示す貼り合わせ式、図３（ｃ）に示す一体式のうちの任意のものを採用することができる。つまり、カバー部材２０は、正面形状及び構成を任意の組合せとすることができ、また、カバー部材２０の交換も極めて容易である。特に、カバーー部材２０Ｂがキャラクタ形状を採用した場合には、プレーヤーの嗜好性を満足させることができる。また、適宜な期間で、カバー部材２０Ｂを次々と異なるキャラクタ形状に交換していく、いわゆる着せ替え感覚で使用することも可能である。
【００２８】
図４（ａ），（ｂ）に示すように、グリーンフォーク１Ｂ（１）に、サック（鞘部材）４０を設けるようにしてもよい。サック４０の上端には、グリーンフォーク１Ｂのフォーク本体１０の爪部１１が挿脱可能なスリット４１が形成されている。サック４０は、カバー部材２０と同じ材質、例えば、塩化ビニルやゴム等の軟質の合成樹脂によって形成することができる。この場合、スリット４１の幅ｔを、爪部１１の厚さＴよりも狭くなるように形成することで、摩擦力により、サック４０に挿入した爪部１１が不用意に抜けることがないようにすることができる。さらに、同図に示すように、カバー部材２０Ｂがキャラクタ形状の場合には、サック４０のデザインを、このカバー部材２０Ｂのキャラクタ形状に合わせて統一性を持たせたデザインとするときは、全体として優れたデザインとすることができ、プレーヤーの嗜好性をより一層、満足させることができる。なお、グリーンフォーク１は、カバー部材２０が、キャラクタ形状以外の形状であっても、適宜、サックを設けることにより、爪部１１が露出することを防止できるので、安全性を高めることができる。
＜実施形態２＞
【００２９】
図５，図６を参照して、実施形態２のグリーンフォーク１Ｄ，１Ｅに付いて説明する。このうち、図５（ａ），（ｂ），（ｃ）は、フォーク回動式のグリーンフォーク１Ｄの動作説明図であり、図６（ａ），（ｂ），（ｃ）は、フォーク引き出し式のグリーンフォーク１Ｅの動作説明図である。なお、グリーンフォーク１Ｄ，１Ｅのフォーク本体１０については、上述の実施形態１と同様であるのでその説明は省略する。
【００３０】
図５（ａ），（ｂ），（ｃ）に示すグリーンフォーク１Ｄは、カバー部材２０Ｄが、フォーク本体１０の表面側及び裏面側の全体を覆うことができるようになっている。すなわち、グリーンフォーク１Ｄは、その不使用時には、フォーク本体１０全体がカバー部材２０Ｄの収納部２４に収納され、また、使用時には爪部１１がカバー部材２０Ｄから揺動動作によって引き出されて露出されるようになっている。
カバー部材２０Ｄは、表面側から見た形状（正面形状）がキャラクタ形状に形成されていて、図５（ａ）に示すように、表面部２１と裏面部２２とこれらを連結する連結部２３とが一体的に形成されていて、表面部２１と裏面部２２との間には、スリット状の収納部２４が形成されている。カバー部材２０Ｄは、上述と同様、塩化ビニル，ゴム等の軟質の合成樹脂によって形成されている。このカバー部材２０Ｄの収納部２４に、フォーク本体１０全体が収納されている。カバー部材２０Ｄの下部には、ボス部２６が形成されている。このボス部２６は、表面部２１と裏面部２２とを連結するように配置されていて、フォーク本体１０の凸部１３の透孔１３ａ（図２（ａ）参照）を貫通している。このため、フォーク本体１０は、このボス部２６を基準として揺動可能となっている。図５（ａ）は、フォーク本体１０全体がカバー部材２０Ｄの収納部２４に収納された状態を示している。この状態において、フォーク本体１０は、把手部１２を下方に、また爪部１１を上方に向けた逆さの姿勢で収納されている。この状態から、フォーク本体１０の一部を右方に引っ張ると、図５（ｂ）に示すように、フォーク本体１０は、ボス部２６を中心として右回りに回転する。さらにフォーク本体１０を回転させて、図５（ｃ）に示すように、爪部１１が下方に位置するようにする。これにより、カバー部材２０Ｄの下部（図５（ｃ）中の二点鎖線で示す円Ｐ近傍）を指で挟んで、グリーンフォーク１Ｄを使用することができる。本実施形態によると、グリーンフォーク１Ｄの不使用時には、爪部１１がカバー部材２０Ｄの収納部２４に収納されていて、露出されることがないので、安全性を高めることができる。さらに、カバー部材２０Ｄは、キャラクタ形状に形成されている。すなわち、人の顔を模した顔部Ｆ、胴体を模した胴部Ｂ、手を模した手部Ｈ、足を模した足部Ｌを有していて、プレーヤーの嗜好性を高めるようになっている。
【００３１】
図６（ａ），（ｂ），（ｃ）に本実施形態２の変形例を示す。これらの図に示すグリーンフォーク１Ｅは、カバー部材２０Ｅが、フォーク本体１０の表面側及び裏面側の全体を覆うことができるようになっている。すなわち、グリーンフォーク１Ｅは、その不使用時には、フォーク本体１０全体がカバー部材２０Ｅの収納部２４に収納され、また、使用時には爪部１１がカバー部材２０Ｅから引き出し動作によって引き出されて露出されるようになっている。
【００３２】
カバー部材２０Ｅは、表面側から見た形状（正面形状）が上述のカバー部材２０Ｄと同様のキャラクタ形状に形成されていて、図５（ａ）に示すように、表面部２１と裏面部２２とこれらを連結する連結部２３とが一体的に形成されていて、表面部２１と裏面部２２との間には、スリット状の収納部２４が形成されている。カバー部材２０Ｅは、上述と同様、塩化ビニル，ゴム等の軟質の合成樹脂によって形成されている。表面部２１における頭部Ｆと胴部Ｂとの近傍には、収納部２４と外部とを連通させる透孔２７が穿設されており、裏面部２２にもこの透孔２７に対応する位置に同様の透孔２７（不図示）が穿設されている。このカバー部材２０Ｅの収納部２４に、フォーク本体１０全体が収納されている。フォーク本体１０は、爪部１１が下方に、また把手部１２（不図示）が上方に配置した姿勢で収納されている。さらに、フォーク本体１０の凸部１３の透孔１３ａ（図２（ａ）参照）にはボールチェーン３０の中間部が通されている。ボールチェーン３０は、その一端部が表面部２１の透孔２７を収納部２４側から前方に貫通され、他端部が裏面部２２の透孔２７を収納部２４側から後方に貫通された後、一端部と他端部とが連結されてループ状を形成している。つまり、ボールチェーン３０は、表面部２１の透孔２７、フォーク本体１０の凸部１３の透孔１３ａ、裏面部２２の透孔２７の順に通された後、両端部が連結されて閉ループを構成している。
【００３３】
このグリーンフォーク１Ｅは、不使用時には、ボールチェーン３０を上方に引くことにより、フォーク本体１０が引き上げられて、その凸部１３の透孔１３ａが、表面部２１の透孔２７（及び裏面部２２の透孔２７）とほぼ同じ高さに位置する。このとき、フォーク本体１０全体は、把手部１２が上方に、また、爪部１１が下方に位置した姿勢で、収納部２４内に完全に収納される。したがって、爪部１１が露出されることなく安全性が高い。使用時には、フォーク本体１０の一部を引き出すことにより、爪部１１を露出させることができる。このとき、図６（ｂ），（ｃ）に示すように、ボールチェーン３０の下端側部分が収納部２４に引き込まれることになる。このグリーンフォーク１Ｅによると、ボールチェーン３０の長さを適宜に設定することにより、爪部１１をカバー部材２０Ｅの下方から突出させた状態で、また、その他、カバー部材２０Ｅの横方向から突出させた状態（図６（ｃ）参照）でも使用することができる。また、ボールチェーン３０の長さを長目に設定して、例えば、把手部１２のほぼ全体が、カバー部材２０Ｅの任意の位置から完全に突出できるようにしておけば、プレーヤーが把手部１２をカバー部材２０Ｅに対して任意の位置において、任意の量だけ収納部２４に収納させた状態で使用することができるので、使い勝手が良好なものとなる。
【図面の簡単な説明】
【００３４】
【図１】図１〜図４は、実施形態１のグリーンフォーク１を説明する図であり、このうち図１（ａ），（ｂ），（ｃ）は、それぞれカバー部材２０Ａ，２０Ｂ，２０Ｃの形状が異なるグリーンフォーク１Ａ，１Ｂ，１Ｃを示す斜視図である。
【図２】（ａ），（ｂ），（ｃ）は、図１（ａ），（ｂ），（ｃ）に示すグリーンフォーク１Ａ，１Ｂ，１Ｃの分解斜視図である。
【図３】（ａ），（ｂ），（ｃ）は、図２（ａ），（ｂ），（ｃ）に示すカバー部材２０Ａ，２０Ｂ，２０Ｃの分解斜視図である。
【図４】（ａ），（ｂ）は、図１（ｂ）に示すグリーンフォーク１Ｂにサック４０を設けた例を示す斜視図である。
【図５】（ａ），（ｂ），（ｃ）は、実施形態２のグリーンフォーク１Ｄの動作を説明する図である。
【図６】（ａ），（ｂ），（ｃ）は、実施形態２の変形例である、グリーンフォーク１Ｅの動作を説明する図である。
【符号の説明】
【００３５】
１，１Ａ，１Ｂ，１Ｃ，１Ｄ，１Ｅ
グリーンフォーク
１０        フォーク本体
１１        爪部
１２        把手部
２０，２０Ａ，２０Ｂ，２０Ｃ，２０Ｄ，２０Ｅ
カバー部材
２１        表面部
２２        裏面部
２３        連結部
２３ａ      ヒンジ（連結部）
２３ｂ      係合凸部（連結部）
２３ｃ      係合凹部（連結部）
２３ｄ      係合部（連結部）
２３ｅ      係止部（連結部）
２４        収納部
３０        ボールチェーン
４０        サック（鞘部材）
【図１】
0003145748.tif 000003
【図２】
0003145748.tif 000004
【図３】
0003145748.tif 000005
【図４】
0003145748.tif 000006
【図５】
0003145748.tif 000007
【図６】
0003145748.tif 000008
【手続補正書】
【提出日】平成20年8月18日(2008.8.18)
【手続補正１】
【補正対象書類名】実用新案登録請求の範囲
【補正対象項目名】全文
【補正方法】変更
【補正の内容】
【実用新案登録請求の範囲】
【請求項１】
ゴルフボールの落下によってゴルフ場のグリーン上に形成された孔を修復するためのグリーンフォークにおいて、
先端側に、前記孔を均すためにフォーク状に分岐された爪部を有し、基端側に把手部を有する金属製又は硬質の合成樹脂製のフォーク本体と、
前記フォーク本体のうちの少なくとも前記把手部における表面側及び裏面側を覆う軟質の合成樹脂製のカバー部材と、を備える、
ことを特徴とするグリーンフォーク。
【請求項２】
前記カバー部材は、少なくとも前記把手部における表面側を覆う表面部と、裏面側を覆う裏面部と、前記表面部及び前記裏面部の一部を連結する連結部と、前記表面部及び前記裏面部の間に形成されて前記把手部が収納されるスリット状の収納部と、を有する、
ことを特徴とする請求項１に記載のグリーンフォーク。
【請求項３】
前記カバー部材が、前記フォーク本体に対して着脱可能である、
ことを特徴とする請求項１又は２に記載のグリーンフォーク。
【請求項４】
前記カバー部材は、前記表面部及び前記裏面部が前記フォーク本体全体の表面側及び裏面側を覆い、
前記フォーク本体は、前記収納部に対して収納及び引き出し可能に構成されている、
ことを特徴とする請求項１ないし３のいずれか１項に記載のグリーンフォーク。
【請求項５】
前記フォーク本体の前記爪部が挿脱自在に挿入される鞘部材を備える、
ことを特徴とする請求項１ないし３のいずれか１項に記載のグリーンフォーク。
【請求項６】
前記カバー部材が、キャラクタ形状に形成されている、
ことを特徴とする請求項１ないし５のいずれか１項に記載のグリーンフォーク。
【請求項７】
前記鞘部材が、キャラクタ形状に形成されている、
ことを特徴とする請求項５に記載のグリーンフォーク。
??